(57)【要約】【課題】貼着時における切り取り操作を不要とし、かつゴミが発生することのないタグ用帳票を提供する。【解決手段】表面３ａまたは裏面３ｂを印字面とする本体片部２に、裏面側へ折り返し可能な折り片部４を、山折り可能な折り線５を介して連成し、該連成部分の表面側に、前記折り線５を跨いで接合される接着保持部６の貼着片７を、該貼着片７の裏面に形成された粘着剤層８によって、本体片部２の貼着片接合面部に形成された剥離剤層９上に剥離可能に仮接合し、かつ折り片部４の貼着片接合面部に剥離不能に接合することによりタグ用帳票１Ａを構成した。これにより、本体片部２の剥離剤層９上に仮接合されている接着保持部６の貼着片７を本体片部２から剥離して、折り片部４を折り線５で本体片部２の裏面側へ折り返すことにより、貼着片７の粘着剤層８が露出し、該粘着剤層８によって本体片部２を被貼着体に貼着することができるので、切り取り操作が不要となり、切り取り操作によるゴミが発生することがない。【選択図】    図４
2004338096.tif 000002
【特許請求の範囲】
【請求項１】
表面または裏面を印字面とする本体片部に、裏面側へ折り返し可能な折り片部が、山折り可能な折り線を介して連成され、該連成部分の表面側に、前記折り線を跨いで接合される貼着片が、該貼着片の裏面に形成された粘着剤層によって、本体片部の貼着片接合面部に形成された剥離剤層上に剥離可能に仮接合され、かつ折り片部の貼着片接合面部に剥離不能に接合されてなる接着保持部を備えたことを特徴とするタグ用帳票。
【請求項２】
接着保持部が、少なくとも本体片部の対向する二端縁部に夫々設けられていることを特徴とする請求項１記載のタグ用帳票。
【請求項３】
請求項１又は請求項２記載のタグ用帳票の使用方法であって、
接着保持部が設けられた本体片部の表面を印字面とし、該印字面に所要情報を印字した後、折り片部を裏面側へ折り返すことにより露出する貼着片の粘着剤層によって透明板材の内面に貼着することにより、該透明板材の外面から所要情報を視認し得る内貼り用として用いることを特徴とするタグ用帳票の使用方法。
【請求項４】
請求項１又は請求項２記載のタグ用帳票の使用方法であって、
接着保持部が設けられた本体片部の裏面を印字面とし、該印字面に所要情報を印字した後、折り片部を裏面側へ折り返すことにより露出する貼着片の粘着剤層によって被貼着体に貼着する外貼り用として用いることを特徴とするタグ用帳票の使用方法。
【発明の詳細な説明】
【０００１】
【発明の属する技術分野】
本発明は、所要情報を表示する現品票として好適に使用し得るタグ（ｔａｇ）用帳票に関する。
【０００２】
【従来の技術】
自動車の輸送時や中古車のオークションにおいては、当該自動車の輸送先，型式，到着予定日や出品番号等の所要情報を印字した現品票をフロントガラスの内面に貼着して、フロントガラスの外面から所要情報を視認し得るようにしている。このような使用態様に適用可能なタグ用帳票は、本願出願人によって既に提案されている（特許文献１参照）。このタグ用帳票（特許文献１の「ラベル付き帳票」における＃Ａの基本片及び＃Ｆ，＃Ｌの分割片で構成される部分に相当する。尚、本願発明で用いる構成部分名称と特許文献１に記載された構成部分名称とが異なる場合には、特許文献１のものを括弧書きで表記する）ａは、図１４，図１５に示すように、表面に所要情報を印字する本体片部（基本片）ｂに切取り用ミシン目ｃを介して分割片ｄが連成されており、その連成部分の裏面側に前記切取り用ミシン目ｃを跨ぐ状態で、粘着剤層（粘着剤）ｅを裏面に備えた貼着片（ラベル）ｆが接合されている。ここで、分割片ｄの貼着片接合面部には剥離剤層（シリコン層）ｇが形成されており、これによって貼着片ｆが分割片ｄに剥離可能に仮接合されている。そして、前記本体片部ｂの表面に所要情報を印字した後、切取り用ミシン目ｃで分割片ｄを切り取ることにより、貼着片ｆの粘着剤層ｅを露出させ、図１６に示すように、該粘着剤層ｅの粘着力を介して本体片部ｂを所要情報が外側に向く状態でフロントガラスｈの内面に貼着し得るようになっている。
【０００３】
【特許文献１】
特開２０００−１９４２６６号公報
【０００４】
【発明が解決しようとする課題】
ところで、従来構成のタグ用帳票ａにあっては、貼着片ｆの粘着剤層ｅを露出させるに際して、分割片ｄを切取り用ミシン目ｃで切り取っているため、その切り取り操作が面倒であり、さらに切り取った分割片ｄがゴミになるという問題点があった。
【０００５】
本発明は、貼着時における切り取り操作を不要とし、かつゴミが発生することのないタグ用帳票を提供することを目的とするものである。
【０００６】
【課題を解決するための手段】
本発明は、表面または裏面を印字面とする本体片部に、裏面側へ折り返し可能な折り片部が、山折り可能な折り線を介して連成され、該連成部分の表面側に、前記折り線を跨いで接合される貼着片が、該貼着片の裏面に形成された粘着剤層によって、本体片部の貼着片接合面部に形成された剥離剤層上に剥離可能に仮接合され、かつ折り片部の貼着片接合面部に剥離不能に接合されてなる接着保持部を備えたことを特徴とするタグ用帳票である。
【０００７】
かかる構成にあって、本体片部の印字面に所要情報を印字した後、該本体片部の剥離剤層上に仮接合されている接着保持部の貼着片を本体片部から剥離するとともに、折り片部を折り線で本体片部の裏面側へ折り返すことにより、該折り片部に接合されている貼着片の、本体片部から剥離された部分が、折り線位置で本体片部の端縁から外方に突出する状態となり、本体片部の表面と同一面側に貼着片の粘着剤層が露出することとなる。そして、この露出した貼着片の粘着剤層によって本体片部を被貼着体に貼着することができる。これにより、従来のような切り取り操作が不要となり、従来に比して極めて容易に粘着剤層を露出させることができるとともに、切り取り操作によるゴミの発生が防止され得る。
【０００８】
上記構成において、接着保持部を、少なくとも本体片部の対向する二端縁部に夫々設ける構成が提案される。かかる構成にあっては、本体片部の上下両端縁部或いは左右両端縁部のように、対向する二端縁部で本体片部を接着保持部の貼着片によって被貼着体に貼着することができるため、より確実な貼着状態が得られ、風等によって本体片部が煽られることがなく、さらに傾斜した被貼着体の下側面にも、本体片部を被貼着体に密着させて貼着することが可能となる。
【０００９】
また、本発明は、接着保持部が設けられた本体片部の表面を印字面とし、該印字面に所要情報を印字した後、折り片部を裏面側へ折り返すことにより露出する貼着片の粘着剤層によって透明板材の内面に貼着することにより、該透明板材の外面から所要情報を視認し得る内貼り用として用いることを特徴とするタグ用帳票の使用方法である。かかる構成にあっては、折り片部を裏面側へ折り返すと、上述したように、本体片部の表面と同一面側に貼着片の粘着剤層が露出するので、本体片部の表面の印字面に印字した所要情報が外側に向く状態で、前記貼着片の粘着剤層を介して本体片部を自動車のフロントガラス等の透明板材の内面に貼着することができ、該所要情報を透明板材の外面から視認し得るものとなる。
【００１０】
さらに、本発明は、接着保持部が設けられた本体片部の裏面を印字面とし、該印字面に所要情報を印字した後、折り片部を裏面側へ折り返すことにより露出する貼着片の粘着剤層によって被貼着体に貼着する外貼り用として用いることを特徴とするタグ用帳票の使用方法である。かかる構成にあっては、折り片部を裏面側へ折り返すと、上述したように、本体片部の表面と同一面側に貼着片の粘着剤層が露出するので、該貼着片の粘着剤層を介して本体片部を被貼着体の外面に貼着すれば、本体片部の裏面の印字面に印字した所要情報をそのまま視認することができる。
【００１１】
【発明の実施の形態】
以下に、本発明にかかるタグ用帳票の第一実施例を、図１〜図８について説明する。
この第一実施例におけるタグ用帳票１Ａは、図１（イ），（ロ）に示すように、矩形状に形成された本体片部２の表面３ａまたは裏面３ｂが印字面となっており、該本体片部２の上端縁部に、裏面３ｂ側へ折り返し可能な所定幅の折り片部４が、本体片部２を横断する山折り可能な折り線５を介して連成されている。ここで、該折り線５は、ミシン目や、加圧加工による線状の凹溝、或いは紙厚を切断しないハーフカット線等により形成され得るが、中でも帳票製作時及び所要情報の印字時に容易に破断しない所定の強度を備え、かつ、使用時に折り片部４の折り返し操作が容易なミシン目が好適に用いられ得る。
【００１２】
本体片部２と折り片部４との連成部分の表面側には、接着保持部６を構成する帯状の貼着片７が前記折り線５を跨いで接合されている。ここで、該貼着片７の裏面には、図２に示すように、粘着剤層８が形成されており、また、本体片部２の貼着片接合面部にはシリコンを塗布してなる剥離剤層９が形成されている。そして、該剥離剤層９上に裏面の粘着剤層８を介して貼着片７を被着することにより、貼着片７を本体片部２に対して剥離可能に仮接合するようにしている。一方、折り片部４の貼着片接合面部には、裏面の粘着剤層８を介して貼着片７が直接被着されており、これによって貼着片７を折り片部４に対して剥離不能に接合するようにしている。
【００１３】
次に、かかる構成からなるタグ用帳票１Ａの使用方法について説明する。
タグ用帳票１Ａを内貼り用として使用する場合には、接着保持部６が設けられた本体片部２の、その表面３ａを印字面とし、該印字面にコンピュータで出力制御されるプリンタを用いて、図３に示すように、所要情報１０及び必要に応じて項目名１１ａや罫線１１ｂを印字する。尚、タグ用帳票１Ａを始めから内貼り用とする場合には、本体片部２の表面３ａに所定の罫線や項目名を帳票製作時に印刷しておくことも可能である。
【００１４】
上記のように本体片部２の表面３ａに所要情報１０を印字した後、図４（イ）に示すように、本体片部２の剥離剤層９上に仮接合されている貼着片７を本体片部２から剥離し、次いで、図４（ロ）に示すように、折り片部４を折り線５で本体片部２の裏面側へ折り返すことにより、該折り片部２に接合されている貼着片７の、本体片部２から剥離された部分が、折り線５の位置で本体片部２の上端縁から上部外方に突出する状態となり、図５に示すように、本体片部２の表面３ａと同一面側に貼着片７の粘着剤層８が露出することとなる。そして、この露出した貼着片７の粘着剤層８によって、図６に示すように、本体片部２を、表面３ａの所要情報１０が外面に向く状態で自動車のフロントガラス等の透明板材１２の内面に貼着することにより、前記所要情報１０を透明板材１２の外面から視認することができる。
【００１５】
一方、タグ用帳票１Ａを外貼り用として使用する場合には、接着保持部６が設けられた本体片部２の、その裏面３ｂを印字面とし、該印字面にコンピュータで出力制御されるプリンタを用いて、図７に示すように、所要情報１０及び必要に応じて項目名１１ａや罫線１１ｂを印字する。尚、タグ用帳票１Ａを始めから外貼り用とする場合には、本体片部２の裏面３ｂに所定の罫線や項目名を帳票製作時に印刷しておくことも可能である。
【００１６】
上記のように本体片部２の裏面３ｂに所要情報１０を印字した後、本体片部２の剥離剤層９上に仮接合されている貼着片７を本体片部２から剥離し（図４（イ）参照）、次いで、折り片部４を折り線５で本体片部２の裏面側へ折り返すことにより（図４（ロ）参照）、上述したように、本体片部２の表面３ａと同一面側に貼着片７の粘着剤層８が露出することとなる。そして、この露出した貼着片７の粘着剤層８によって、図８に示すように、本体片部２を梱包箱等の被貼着体１２’の外面に貼着することにより、本体片部２の裏面３ｂに印字した所要情報１０をそのまま視認することができる。
【００１７】
このように、タグ用帳票１Ａは、内貼り用または外貼り用の何れの用途にも使用可能であり、使用時に折り片部４を折り線５で本体片部２の裏面側へ折り返すだけで極めて容易に貼着片７の粘着剤層８を露出させることができ、切り取り操作が不要であるため、ゴミが発生することがない。
【００１８】
図９〜図１３は、本発明にかかるタグ用帳票の第二実施例を示す。この第二実施例におけるタグ用帳票１Ｂは、図９に示すように、矩形状に形成された本体片部２の上端縁部と下端縁部に、裏面３ｂ側へ夫々折り返し可能な所定幅の折り片部４，４が、本体片部２を横断する山折り可能な折り線５，５を介して連成されている。また、本体片部２と折り片部４，４との連成部分の表面側には、前記折り線５，５を跨いで接合される貼着片７，７を備えた接着保持部６，６が配設されている。ここで、該接着保持部６，６の各貼着片７は、第一実施例と同様に構成されており、図１０に示すように、該貼着片７の裏面に形成された粘着剤層８によって、本体片部２の貼着片接合面部に形成されたシリコン塗布層からなる剥離剤層９，９上に夫々剥離可能に仮接合され、かつ折り片部４，４の貼着片接合面部に夫々剥離不能に接合されている。
【００１９】
かかる構成からなるタグ用帳票１Ｂは、第一実施例と同様に、内貼り用または外貼り用の何れの用途にも使用可能である。即ち、例えば、タグ用帳票１Ｂを内貼り用として使用する場合には、本体片部２の表面３ａを印字面とし、該印字面にコンピュータで出力制御されるプリンタを用いて、図１１に示すように、所要情報１０及び必要に応じて項目名１１ａや罫線１１ｂを印字する。そして、図１２（イ）に示すように、本体片部２の剥離剤層９，９上に仮接合されている貼着片７，７を本体片部２から剥離し、次いで、図１２（ロ）に示すように、折り片部４，４を折り線５，５で本体片部２の裏面側へ夫々折り返すことにより、本体片部２の表面３ａと同一面側に貼着片７，７の粘着剤層８，８が露出することとなる。そして、この露出した貼着片７，７の粘着剤層８，８によって、図１３に示すように、本体片部２の上下両端縁部を、表面３ａの所要情報１０が外面に向く状態で自動車のフロントガラス等の透明板材１２の内面に貼着することにより、前記所要情報１０を透明板材１２の外面から視認することができる。また、タグ用帳票１Ｂを外貼り用とする場合には、本体片部２の裏面３ｂを印字面として所要情報１０を印字した後、上記のように貼着片７，７の粘着剤層８，８を露出させれば、所要情報１０を視認し得る状態で、本体片部２を被貼着体の外面にそのまま貼着することができる。
【００２０】
このように、第二実施例のタグ用帳票１Ｂは、対向する上下両端縁部で本体片部２を接着保持部６，６の貼着片７，７によって被貼着体に貼着することができるため、より確実な貼着状態が得られ、風等によって本体片部２が煽られることがなく、さらに傾斜した被貼着体の下側面にも、本体片部２を被貼着体に密着させて貼着することができる。
【００２１】
尚、上記両実施例では、タグ用帳票１Ａ，１Ｂの全体形状を矩形状としたが、これ以外に、円形，楕円形，多角形その他の任意の形状とすることができる。
【００２２】
また、第二実施例では、本体片部２の上端縁部と下端縁部に接着保持部６，６を設けた例を示したが、該接着保持部６は、本体片部２の左右両端縁部の二ヶ所或いは左右両端縁部及び上端縁部の三ヶ所、または上下両端縁部と左右両端縁部の四ヶ所に設けることもでき、少なくとも本体片部２の対向する二端縁部に設けられていれば、本体片部２を被貼着体に密着させて貼着することが可能となる。
【００２３】
【発明の効果】
上述したように、請求項１の発明によれば、本体片部の剥離剤層上に仮接合されている接着保持部の貼着片を本体片部から剥離するとともに、折り片部を折り線で本体片部の裏面側へ折り返すことにより、貼着片の粘着剤層が露出し、該粘着剤層によって本体片部を被貼着体に貼着することができる。これにより、従来のような切り取り操作が不要となり、従来に比して極めて容易に粘着剤層を露出させることができるとともに、切り取り操作によるゴミの発生が防止され得る。
【００２４】
また、請求項２の発明によれば、対向する二端縁部で本体片部を接着保持部の貼着片によって被貼着体に貼着することができるため、より確実な貼着状態が得られ、風等によって本体片部が煽られることがなく、さらに傾斜した被貼着体の下側面にも、本体片部を被貼着体に密着させて貼着することが可能となる。
【００２５】
さらに、請求項３の発明によれば、折り片部を裏面側へ折り返すと、本体片部の表面と同一面側に貼着片の粘着剤層が露出するので、本体片部の表面の印字面に印字した所要情報が外側に向く状態で、前記貼着片の粘着剤層を介して本体片部を自動車のフロントガラス等の透明板材の内面に貼着することにより、該所要情報を透明板材の外面から視認し得るものとなる。
【００２６】
また、請求項４の発明によれば、折り片部を裏面側へ折り返すと、本体片部の表面と同一面側に貼着片の粘着剤層が露出するので、該貼着片の粘着剤層を介して本体片部を被貼着体の外面に貼着すれば、本体片部の裏面の印字面に印字した所要情報をそのまま視認することができる。
【図面の簡単な説明】
【図１】第一実施例にかかるタグ用帳票１Ａを示し、（イ）は表面図、（ロ）は裏面図である。
【図２】同上のタグ用帳票１Ａの側断面図である。
【図３】内貼り用の印字態様を示すタグ用帳票１Ａの表面図である。
【図４】折り片部４の折り返し操作行程を（イ），（ロ）で順に示すタグ用帳票１Ａの側断面図である。
【図５】貼着片７の粘着剤層８が露出した状態を示すタグ用帳票１Ａの表面図である。
【図６】タグ用帳票１Ａを内貼りにした状態を示す使用説明図である。
【図７】外貼り用の印字態様を示すタグ用帳票１Ａの裏面図である。
【図８】タグ用帳票１Ａを外貼りにした状態を示す使用説明図である。
【図９】第二実施例にかかるタグ用帳票１Ｂを示し、（イ）は表面図、（ロ）は裏面図である。
【図１０】同上のタグ用帳票１Ｂの側断面図である。
【図１１】内貼り用の印字態様を示すタグ用帳票１Ｂの表面図である。
【図１２】折り片部４，４の折り返し操作行程を（イ），（ロ）で順に示すタグ用帳票１Ｂの側断面図である。
【図１３】タグ用帳票１Ｂを内貼りにした状態を示す使用説明図である。
【図１４】従来構成のタグ用帳票ａを示し、（イ）は表面図、（ロ）は裏面図である。
【図１５】同上のタグ用帳票ａの側断面図である。
【図１６】タグ用帳票ａを内貼りにした状態を示す使用説明図である。
【符号の説明】
１Ａ，１Ｂ  タグ用帳票
２  本体片部
３ａ  表面
３ｂ  裏面
４  折り片部
５  折り線
６  接着保持部
７  貼着片
８  粘着剤層
９  剥離剤層
１０  所要情報
１２  透明板材
１２’被貼着体
【図１】
2004338096.tif 000003
【図２】
2004338096.tif 000004
【図３】
2004338096.tif 000005
【図４】
2004338096.tif 000006
【図５】
2004338096.tif 000007
【図６】
2004338096.tif 000008
【図７】
2004338096.tif 000009
【図８】
2004338096.tif 000010
【図９】
2004338096.tif 000011
【図１０】
2004338096.tif 000012
【図１１】
2004338096.tif 000013
【図１２】
2004338096.tif 000014
【図１３】
2004338096.tif 000015
【図１４】
2004338096.tif 000016
【図１５】
2004338096.tif 000017
【図１６】
2004338096.tif 000018